(57)【要約】【課題】ハードディスクレコーダにおいて、断片化された録画ファイルを再生する際に、該録画ファイルを連続した空き領域に再配置することにより、以後の該録画ファイルへのアクセスを高速に行えるようにする。【解決手段】ファイルＡ１〜Ａ４から成る録画ファイルＡの再生が開始されると同時に、ハードディスクの連続した空き領域にファイルＡ１〜Ａ４が再生順に連続的に複製（コピー）される。その後、録画ファイルＡの再生が終了すると、複製元のファイルＡ１〜Ａ４が削除され、この削除された領域と当初の空き領域Ｓ０’とによって新たな空き領域Ｓ２となる。このようにして、録画ファイルの再生のたびに、再生される録画ファイルが最適化（再配置）され、以後の該録画ファイルへのアクセスが高速に行えるようになる。【選択図】      図３
2004228614.tif 000002
【特許請求の範囲】
【請求項１】
放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した複数ブロックから成る録画ファイルに前記信号符号手段が圧縮符号化したＡＶ信号を記録するハードディスク装置と、前記ハードディスクに記録されたＡＶ信号を伸張復号化する信号復号手段とを備えたハードディスクレコーダにおいて、
前記ハードディスク内の録画ファイルに記録されたＡＶ信号を読み出して、この読み出したＡＶ信号を前記信号復号手段に伸張復号化させ、この伸張復号化されたＡＶ信号を前記信号変換手段に変換させ、前記モニタ装置に出力させることにより該ファイルを再生するファイル再生手段と、
このファイル再生手段が前記録画ファイルの再生を開始するとき、ハードディスク内に該録画ファイルを複製するための連続した空き領域が存在するかを確認する空き領域確認手段と、
前記録画ファイル中に断片化されたブロックが所定数以上存在するかを計数する断片化ブロック計数手段と、
前記ハードディスク内に連続した空き領域が存在し、かつ、前記録画ファイル中に断片化されたブロックが所定数以上存在するとき、該録画ファイルを前記連続した空き領域に、再生するブロック順に連続させて複製するファイル最適化手段と、
このファイル最適化手段による録画ファイルの複製、及び前記ファイル再生手段による録画ファイルの再生が終了した後、複製元の録画ファイルを削除するファイル削除手段とを有し、
前記ハードディスク装置に記録された録画ファイルを再生しながら、該録画ファイルを最適化することを特徴とするハードディスクレコーダ。
【請求項２】
映像／音声信号（ＡＶ信号）を符号化する信号符号手段と、ハードディスク内に作成した複数ブロックから成る録画ファイルに前記信号符号手段が符号化したＡＶ信号を記録するハードディスク装置と、前記ハードディスクに記録されたＡＶ信号を復号化する信号復号手段とを備えたハードディスクレコーダにおいて、
前記ハードディスク内の録画ファイルに記録されたＡＶ信号を読み出して、この読み出したＡＶ信号を前記信号復号手段に復号化させることにより該ファイルを再生するファイル再生手段と、
このファイル再生手段が前記録画ファイルを再生するとき、ハードディスク内に該録画ファイルを複製するための連続した空き領域が存在するかを確認する空き領域確認手段と、
前記録画ファイルの断片化を確認する断片化確認手段と、
ハードディスク内に連続した空き領域が存在し、かつ、前記録画ファイルが断片化していると確認されたとき、該録画ファイルを前記ハードディスク内の連続した空き領域に、再生するブロックの順に連続させて複製するファイル最適化手段と、
前記ファイル最適化手段による録画ファイルの複製が終了した後、複製元の録画ファイルを削除するファイル削除手段とを有し、
前記ハードディスク装置に記録された録画ファイルを再生しながら、該録画ファイルを最適化することを特徴とするハードディスクレコーダ。
【請求項３】
前記断片化確認手段は、前記録画ファイル中に断片化されたブロックが幾つ存在するかを計数する断片化ブロック計数手段を含み、
前記録画ファイル中に断片化されたブロックが所定数以上存在するとき、該録画ファイルが断片化していると判断するものであることを特徴とする請求項２に記載のハードディスクレコーダ。
【発明の詳細な説明】
【０００１】
【発明の属する技術分野】
本発明は、映像／音声信号を記録・再生するハードディスクレコーダに関するものである。
【０００２】
【従来の技術】
従来から、映像／音声信号（ＡＶ信号）を記録するにあたっては、ＤＶＤ（Ｄｉｇｉｔａｌ  Ｖｅｒｓａｔｉｌｅ  Ｄｉｓｋ）に代表されるような、大容量のデジタル信号の記録に適した光ディスクが利用されている。また、最近では、ＡＶ信号をハードディスクに記録するハードディスクレコーダが登場し、デジタル放送の配信開始と相まって急速に普及しつつある。
【０００３】
このようなハードディスクレコーダにあっては、ＡＶ信号は、ハードディスク内の複数のブロックにまたがって作成された録画ファイルに記録される。各ブロックは、ハードディスクの内周側から外周側に亘って、又は外周側から内周側に亘って存在する空き領域に順次作成され、その作成場所は、例えばＦＡＴ（Ｆｉｌｅ
Ａｌｌｏｃａｔｉｏｎ  Ｔａｂｌｅ）によって管理されている。
【０００４】
ところで、ハードディスクレコーダを継続して利用していると、ハードディスク内には様々なサイズの録画ファイルがユーザの嗜好に合わせて記録され、削除される。このような録画ファイルの記録・削除が繰り返されていくうちに、ハードディスクには、飛び飛びの（不連続な）空き領域が形成されるようになり、録画ファイルを構成するブロックは、上記飛び飛びに形成された空き領域に作成され、録画ファイルが断片化されることとなる。このように録画ファイルが断片化されたとしても、上述したＦＡＴを参照することにより、ハードディスクの各ブロックにアクセスすることができ、ＡＶ信号を記録・再生することは可能である。
【０００５】
しかしながら、録画ファイルの断片化が過度になると、各ブロックへのアクセスに時間がかかり、ＡＶ信号の記録・再生が円滑に行われなくなり、再生映像のコマ落ち等の不具合が発生する原因となることがある。そこで、上記と同様のハードディスクを記録媒体として適用した、いわゆるパーソナルコンピュータ等のコンピュータ装置では、ファイルの断片化を防止するため、ハードディスク内のブロックを再配置（ファイル最適化）する処理を定期的に実行するように推奨されている。
【０００６】
そして、近年のパーソナルコンピュータでは、プログラム起動時に所定のファイルデータ（ファイル名及びファイルを分割したファイルデータの順番を示す符号）を読み出して、このファイルデータに基いて、ファイルの再配置することにより、ファイルへのアクセス速度の高速化を図るようにしたコンピュータ装置が知られている（例えば、特許文献１参照）。また、いわゆるワークステーション等においても、アクセス頻度に応じてファイルを再配置するように構成して、ファイルへのアクセス速度の高速化を図るようにしたコンピュータ装置が知られている（例えば、特許文献２及び特許文献３参照）。さらに、ハードディスクレコーダにおいても、録画前に必要とする記録容量に応じて必要十分なファイルのみの再配置処理を行うように構成して、ファイル最適化処理の所要時間の短縮を図った装置が知られている（例えば、特許文献４参照）。
【０００７】
【特許文献１】
特開２０００−１０８３０号公報
【特許文献２】
特開平４−８１９４２号公報
【特許文献３】
特開平３−１１３５２７号公報
【特許文献４】
特開平７−２００３６９号公報
【０００８】
【発明が解決しようとする課題】
しかしながら、特許文献１に示されるコンピュータ装置においては、プログラムの起動時にファイルの再配置を行うので、プログラムの起動に時間がかかる。また、特許文献２や特許文献３に示されるコンピュータ装置においては、ファイルのアクセス頻度が所定の頻度に達するまでファイルの再配置を行わないので、アクセス頻度の低いファイルが多数存在する場合には、ハードディスクに記録されているファイルの大部分が断片化されたままの状態で放置され、該ファイルへのアクセス速度が低下する。また、特許文献４に示されるハードディスクレコーダにあっても、長時間の録画を行うにあたって連続した空き領域を確保するのに時間がかかり、放送開始時間に間に合わないといったことも起こり得る。
【０００９】
本発明は、上述した問題点を解決するためになされたものであり、断片化された録画ファイルを再生する際、該録画ファイルを連続した空き領域に自動的に再配置することにより、以後の該録画ファイルへのアクセスを高速に行えるようにして、再生画像のコマ落ちを防止することが可能なハードディスクレコーダを提供することを目的とする。
【００１０】
【課題を解決するための手段】
上記目的を達成するために請求項１の発明は、放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した複数ブロックから成る録画ファイルに信号符号手段が圧縮符号化したＡＶ信号を記録するハードディスク装置と、ハードディスクに記録されたＡＶ信号を伸張復号化する信号復号手段とを備えたハードディスクレコーダにおいて、ハードディスク内の録画ファイルに記録されたＡＶ信号を読み出して、この読み出したＡＶ信号を信号復号手段に伸張復号化させ、この伸張復号化されたＡＶ信号を信号変換手段に変換させ、モニタ装置に出力させることにより該ファイルを再生するファイル再生手段と、このファイル再生手段が録画ファイルの再生を開始するとき、ハードディスク内に該録画ファイルを複製するための連続した空き領域が存在するかを確認する空き領域確認手段と、録画ファイル中に断片化されたブロックが所定数以上存在するかを計数する断片化ブロック計数手段と、ハードディスク内に連続した空き領域が存在し、かつ、録画ファイル中に断片化されたブロックが所定数以上存在するとき、該録画ファイルを連続した空き領域に、再生するブロック順に連続させて複製するファイル最適化手段と、このファイル最適化手段による録画ファイルの複製、及びファイル再生手段による録画ファイルの再生が終了した後、複製元の録画ファイルを削除するファイル削除手段とを有し、ハードディスク装置に記録された録画ファイルを再生しながら、該録画ファイルを最適化するものである。
【００１１】
この構成においては、放送されたＡＶ信号又は外部入力端子等から入力されたＡＶ信号をハードディスクに作成した録画ファイルに記録する。記録された録画ファイルの再生が開始されるとき、ハードディスク内に連続した空き領域が存在し、かつ、該録画ファイル中に断片化されたブロックが所定数以上存在する場合は、該空き領域に録画ファイルを複製する。このとき、録画ファイルを構成する各ブロックは、再生順に連続するように複製される。これにより、ユーザが録画ファイルを視聴している間に、該録画ファイルの最適化処理が自動的に成されることとなる。そして、ファイル再生が終了すると、複製元の録画ファイルが削除され、ハードディスク内には再生当初の空き領域が確保される。
【００１２】
また、ハードディスクに記録されている録画ファイルは、信号符号手段によって圧縮符号化されているので、その容量が小さく、録画ファイルの複製は再生と比べて短時間で行われる。従って、ユーザが早送りしながら録画ファイルを再生した場合、又はファイルの再生を途中で中止した場合等のように再生時間が短い場合であっても、録画ファイルの複製は迅速に行われ、再生よりも先に終了され、ユーザに違和感を与えない。また、仮に録画ファイルの再生時間が極めて短く（例えば、数１０秒程度）、録画ファイルの複製処理が間に合わない場合であっても、録画ファイルの複製が完了しなければ複製元の録画ファイルが削除されないので、貴重な録画ファイルが誤って削除される虞もない。
【００１３】
請求項２の発明は、映像／音声信号（ＡＶ信号）を符号化する信号符号手段と、ハードディスク内に作成した複数ブロックから成る録画ファイルに信号符号手段が符号化したＡＶ信号を記録するハードディスク装置と、ハードディスクに記録されたＡＶ信号を復号化する信号復号手段とを備えたハードディスクレコーダにおいて、ハードディスク内の録画ファイルに記録されたＡＶ信号を読み出して、この読み出したＡＶ信号を信号復号手段に復号化させることにより該ファイルを再生するファイル再生手段と、このファイル再生手段が録画ファイルを再生するとき、ハードディスク内に該録画ファイルを複製するための連続した空き領域が存在するかを確認する空き領域確認手段と、録画ファイルの断片化を確認する断片化確認手段と、ハードディスク内に連続した空き領域が存在し、かつ、録画ファイルが断片化していると確認されたとき、該録画ファイルをハードディスク内の連続した空き領域に、再生するブロックの順に連続させて複製するファイル最適化手段と、ファイル最適化手段による録画ファイルの複製が終了した後、複製元の録画ファイルを削除するファイル削除手段とを有し、ハードディスク装置に記録された録画ファイルを再生しながら、該録画ファイルを最適化するものである。
【００１４】
この構成においては、録画ファイルの再生時にハードディスク内に連続した空き領域が存在し、かつ、該録画ファイルの断片化が確認されたとき、該空き領域に録画ファイルを複製する。このとき、録画ファイルを構成する各ブロックは、再生順に連続するように複製される。これにより、ユーザが録画ファイルを視聴している間に、該録画ファイルの最適化処理が自動的に成されることとなる。そして、ファイル再生が終了すると、複製元の録画ファイルが削除され再生当初の空き領域が確保される。また、録画ファイルの再生時間が、録画ファイルの複製時間より短い場合であっても、録画ファイルの複製が完了しなければ複製元の録画ファイルが削除されないので、貴重な録画ファイルが誤って削除される虞もない。
【００１５】
請求項３の発明は、請求項２に記載のハードディスクレコーダにおいて、断片化確認手段は、録画ファイル中に断片化されたブロックが幾つ存在するかを計数する断片化ブロック計数手段を含み、録画ファイル中に断片化されたブロックが所定数以上存在するとき、該録画ファイルが断片化していると判断するものである。この構成においては、録画ファイル中に断片化されたブロックが所定数以上存在するとき、該録画ファイルは最適化処理が必要な程度に断片化していると判断し、最適化処理を行う。
【００１６】
【発明の実施の形態】
本発明の一実施形態によるハードディスクレコーダについて図面を参照して説明する。図１はハードディスクレコーダのブロック構成を示している。ハードディスクレコーダ１は、放送局から放送されたＡＶ信号等をハードディスク３１に録画して再生するＡＶ機器であり、ＡＶ信号を入出力するＡＶブロック２と、ＡＶ信号をハードディスク３１に記録するハードディスク装置３と、ＤＶＤに記録されたＡＶ信号を再生するＤＶＤ再生装置４と、ハードディスクレコーダ１のフロントパネルに装着され、ユーザが操作を行うときのインタフェースとして機能するフロントパネルブロック５と、ＡＶ信号を符号・復号すると共に、ハードディスクレコーダ１の各ブロックを制御するメインブロック６と、各ブロックに電源を供給する電源装置７等によって構成されている。
【００１７】
ＡＶブロック２は、テレビジョン放送を受信するＴＶチューナ（受信手段）２１と、ＡＶ信号をＡ／Ｄ変換又はＤ／Ａ変換する信号処理部（信号変換手段）２２と、ＡＶブロック２の制御を司るマイコン２３と、ＡＶ出力端子２４、ＡＶ入力端子（外部入力端子）２５、デジタル音声出力端子２６及びＡＶ入出力端子２７等によって構成される。ＴＶチューナ２１は、アンテナ２８が接続されるＲＦ入力端子２１ａを備え、放送局から放送されたＡＶ信号及び番組選択のためのＶＰＳ信号、ＰＤＣ信号を受信する。信号処理部２２は、ＡＶ入出力端子２７から入力されたデジタルのＡＶ信号をアナログに変換してＡＶ出力端子２４を介してモニタ装置８に出力すると共に、ハードディスクレコーダ１の外部からＡＶ入力端子２５を介して入力されたアナログのＡＶ信号をデジタルに変換してＡＶ入出力端子２７に出力する。マイコン２３は、ＣＰＵ５４及びＣＰＵ６３と随時通信を行いながらＡＶブロック２を制御する。
【００１８】
ハードディスク装置３は、４０ＧＢ／プラッタのハードディスク３１を内蔵し、メインブロック６内で圧縮符号化されたＡＶ信号をハードディスク３１に記録する。ハードディスク装置３のインターフェースはＡＴＡ／ＩＤＥ規格に準拠され、ハードディスク装置３とメインブロック６とは、ＡＴＡ／ＩＤＥコネクタ３２，６６を介して接続されている。
【００１９】
フロントパネルブロック５は、リモコン装置（リモートコントローラ）９から送信された赤外線信号を受光する赤外線受光器５１と、ユーザが操作指令を直接入力するための操作キー５２と、ハードディスクレコーダ１の動作状態を表示するＶＦＤ（Ｖａｃｕｕｍ  Ｆｌｕｏｒｅｓｃｅｎｔ  Ｄｉｓｐｌａｙ）５３と、フロントパネルブロック５の制御を司るＣＰＵ５４等によって構成され、ハードディスクレコーダ１とユーザとのインターフェースとして機能する。すなわち、ユーザは、ＶＦＤ５３の表示を確認しながらリモコン装置９又は操作キー５２を操作することによって、テレビジョン放送の録画指令や録画ファイルの再生指令をハードディスクレコーダ１に入力することができる。
【００２０】
メインブロック６は、ＡＶ信号をＭＰＥＧ２（Ｍｏｖｉｎｇ  Ｐｉｃｔｕｒｅ  Ｅｘｐｅｒｔｓ  ＧｒｏｕｐＰｈａｓｅ  ２）規格に準拠して圧縮符号化又は伸張復号化するＣＯＤＥＣ（信号符号手段、信号復号手段）６１と、ＣＯＤＥＣ６１が圧縮符号化又は伸張復号化するＡＶ信号を一時的に記憶するメモリ（ＳＤＲＡＭ）６２と、ハードディスクレコーダ１の制御を司るＣＰＵ（ファイル再生手段、空き領域確認手段、断片化計数手段、ファイル最適化手段と、ファイル削除手段）６３と、ＣＰＵ６３の動作プログラムが格納されたフラッシュメモリ６４と、ハードディスク３１に記録する録画ファイルのＡＶ信号を一時的に記憶するメモリ（ＳＤＲＡＭ）６５と、ＡＴＡ／ＩＤＥコネクタ６６と、ＡＶ入出力端子６７と、サービス用ポート６８等によって構成されている。メモリ６２及びメモリ６５は、記憶領域を分割して使用する単一のメモリによって構成されていてもよい。ＣＰＵ６３は、所定のＯＳ（例えば、Ｖｘ  Ｗｏｒｋｓ）に基いて動作し、ＣＯＤＥＣ６１を制御する他、ハードディスク装置３、ＡＶブロック２を制御するマイコン２３、及びフロントパネルブロック５３を制御するＣＰＵ５４と接続され、これらとの間で通信を行いながらハードディスクレコーダ１の各部を制御する。
【００２１】
上記のように構成されたハードディスクレコーダ１は、ユーザによってリモコン装置９又は操作キー５２を介して入力された再生指令を受け録画ファイルを再生するとき、該録画ファイルをハードディスク３１の空き領域に再生ブロック順に連続させて再配置し、自動的にファイルを最適化する機能を有している。この再生中に録画ファイルを最適化する機能は、パーソナルコンピュータのように、特定のファイルを開いているとき、不正な処理によってそのファイルの故障等を防止するために、該ファイルにアクセスできないように設定されたコンピュータ装置では、実現し得ない機能である。
【００２２】
図２及び図３は、ハードディスクレコーダ１のハードディスク３１内の記録領域を模式的に示している。図２において、ハードディスク３１の記録領域には、当初、ファイルＡ１〜Ａ４から成る録画ファイルＡ、ファイルＢ１及びＢ２から成る録画ファイルＢ及びファイルＣ１から成る録画ファイルＣが記録されており、空き領域Ｓ０が存在している。録画ファイルＡは、ファイルＢ１、Ｂ２及びＣ１によってファイルＡ１〜Ａ４に分割（断片化）されている。ここで、録画ファイルＡの再生指令が入力されると、録画ファイルＡのＡＶ信号が伸張復号化され、出力される。同時に、再生を行うファイルＡ１〜Ａ４が圧縮復号化された状態のまま順次空き領域Ｓ０に複製（コピー）され、録画ファイルＡは最適化される。このとき、空き領域は、図中の空き領域Ｓ１で示されるように、一時的に減少する。なお、複製されるファイルＡ１〜Ａ４は、圧縮復号化されたままの状態であるので、その容量は小さく、通常、録画ファイルＡの再生が終了する以前に録画ファイルＡの複製が完了する。
【００２３】
録画ファイルＡの複製が完了し、さらに再生が終了すると、複製元のファイルＡ１〜Ａ４が削除され、この削除された領域が新たな空き領域Ｓ２とされる。従って、再生後の空き領域Ｓ１と空き領域Ｓ２との合計領域は、再生当初の空き領域Ｓ０と同等とされる。このようにして、録画ファイルＡの再生中に録画ファイルＡが当初の空き領域Ｓ０に自動的に再配置され、最適化される。録画ファイルＢが再生される場合についても、上記と同様である。
【００２４】
また、図３においては、ハードディスク３１の記録領域には、当初、ファイルＡ１〜Ａ４から成る録画ファイルＡが記録されており、空き領域Ｓ０，Ｓ０’が存在している。録画ファイルＡは、空き領域Ｓ０’によってファイルＡ１〜Ａ４に分割されている。ここで、録画ファイルＡの再生指令が入力されると、録画ファイルＡのＡＶ信号が伸張復号化され、出力される。同時に、再生を行うファイルＡ１〜Ａ４が圧縮復号化された状態のまま順次空き領域Ｓに複製（コピー）され、録画ファイルＡは最適化される。このとき、空き領域は、図中の空き領域Ｓ１で示されるように、一時的に減少する。
【００２５】
録画ファイルＡの複製が完了し、さらに再生が終了すると、複製元のファイルＡ１〜Ａ４が削除され、この削除された領域と当初の空き領域Ｓ０’とによって、新たな連続した空き領域Ｓ２が形成される。再生後の空き領域Ｓ１と新たな空き領域Ｓ２との合計領域は、再生当初の空き領域Ｓ０とＳ０’との合計領域と同等とされる。このようにして、録画ファイルＡの再生中に録画ファイルＡが当初の空き領域Ｓ０に自動的に再配置され、最適化される。そして、新たに形成された空き領域は、図３に示したように連続した領域とされ、この空き領域Ｓ２に録画ファイルＤを作成した場合、録画ファイルＤも最適化された状態で作成されることに成る。
【００２６】
録画ファイルの再生時におけるＣＰＵ６３の処理について、図４を参照して説明する。ハードディスクレコーダ１がスタンバイ状態のとき（＃１）、ユーザによる録画ファイルの再生開始指令の入力を待つ（＃２においてＮＯ）。再生開始指令が入力されると（＃２においてＹＥＳ）、ハードディスク３１内の空き領域Ｓを調査し、録画ファイルを最適化（再配置）するための連続した空き領域が存在するかを確認する（＃３）。連続した空き領域が存在すれば（＃３においてＹＥＳ）、再生ファイル中に断片化されたブロックが幾つ存在するかを計数する（＃４）。ここで、断片化されたブロックが所定数以上存在すれば（＃４においてＹＥＳ）、上記連続した空き領域に録画ファイルを複製すると共に、再生を開始する（＃５）。ここでは、録画ファイルの複製を先行させてもよいし、再生を先行させてもよい。また、録画ファイルの複製は、再生するブロック順に連続させて行う。
【００２７】
録画ファイルの複製が終了すると（＃６）、録画ファイルの再生終了を待つ（＃７においてＮＯ）。そして、録画ファイルの再生が終了すると（＃７においてＹＥＳ）、再生していた録画ファイル（複製元の録画ファイル）のデータを削除して当初の空き領域Ｓと同等の空き領域を確保して（＃８）、処理を終了する。なお、ハードディスク３１内に録画ファイルを最適化するための連続した空き領域が存在しないとき（＃３においてＮＯ）、並びに、断片化されたブロックが所定数以上存在しないときは（＃４においてＮＯ）通常の再生処理を実行し（＃９）、録画ファイルの再生終了を待つ（＃１０においてＮＯ）。そして、録画ファイルの再生が終了すると（＃１０においてＹＥＳ）、処理を終了する。
【００２８】
このように、ハードディスクレコーダ１によれば、ユーザが録画ファイルを再生する際に、ハードディスク３１の空き領域Ｓに録画ファイルが連続的に再配置され、ファイルの最適化が成されるので、録画ファイルへのアクセスが高速に行えるようになり、再生画像のコマ落ちを防止することができるようになる。また、再生中の録画ファイルに断片化されたブロックが所定数以上存在するときにファイルの最適化が行われるので、断片化の程度が軽度である場合には最適化の処理は行われず、ハードディスク装置のシーク動作音が必要以上に発生することもない。また、ＣＯＤＥＣ６１によって圧縮符号化されたＡＶ信号をハードディスク３１に記録するように構成しているので、録画ファイルの複製は通常の再生よりも短時間で終了する。従って、ユーザが早送りしながら録画ファイルを再生した場合等、再生時間が短い場合であっても、録画ファイルの移動は問題なく行われる。
【００２９】
なお、本発明は上記実施形態の構成に限られることなく種々の変形が可能であり、例えば、再生ファイル中に存在する断片化されたブロック数を計数する処理（図４中＃４）では、単位再生時間（単位記録容量）あたりの断片化されたブロック数を計数し、そのブロック数に基いて録画ファイルの断片化を判断するようにしてもよい。また、＃４の後に、断片化されたブロックを特定し、そのブロックの間隔（ブロックのアドレス間隔）が所定間隔以上であるとき、録画ファイルが断片化していると判断する処理を追加してもよい。請求項に記載の断片化ブロック計数手段は、上記のような処理を行うようにした構成をも含むものとする。
【００３０】
また、ハードディスク３１に記録するＡＶ信号は、ＭＰＥＧ２規格に準拠して圧縮復号化された信号に限られることなく、ＭＰＥＧ４等の他の規格に準拠して圧縮復号化された信号であってもよい。また、優れた画質及び音質を記録・再生するために、非圧縮のデジタル信号を記録するようにしても構わない。この場合にあっては、ハードディスク３１の記録速度及び記録容量を確保するために、複数のハードディスク装置３によって分散処理を行うように構成することが望ましい。
【００３１】
また、ハードディスク３１に記録するＡＶ信号は、放送局から放送されるＡＶ信号に限られることなく、ビデオカセットテープに記録されたＡＶ信号であってもよい。この場合にあっては、ビデオカセットテープに記録されたＡＶ信号をビデオカセットプレーヤによって再生し、ＡＶ入力端子２５を介してハードディスクレコーダ１に入力するようにすればよい。
【００３２】
さらにまた、メインブロック６は、ＣＰＵ６３、ＣＯＤＥＣ６１、メモリ６２，６５を統合化した１チップのＬＳＩで構成されていてもよい。さらに、信号処理部がＡＶブロック２に含まれる形態に限られることなく、メインブロック６に含まれる形態であっても構わない。
【００３３】
【発明の効果】
以上のように請求項１の発明によれば、ユーザが録画ファイルを再生する際に、ハードディスクの空き領域に録画ファイルが連続的に再配置され、ファイルの最適化が成されるので、以後の録画ファイルへのアクセスが高速に行えるようになり、再生画像のコマ落ちを防止することができるようになる。また、再生中の録画ファイルに断片化されたブロックが所定数以上存在するときにファイルの最適化が行われるように構成しているので、断片化の程度が軽度である場合には最適化の処理は行われず、ハードディスク装置のシーク動作音が必要以上に発生することもない。また、信号符号手段によって圧縮符号化されたＡＶ信号をハードディスクに記録するように構成しているので、録画ファイルの複製は通常の再生よりも短時間で終了する。従って、ユーザが早送りしながら録画ファイルを再生した場合等、再生時間が短い場合であっても、録画ファイルの移動は問題なく行われる。
【００３４】
請求項２の発明によれば、ユーザが録画ファイルを再生する際に、ハードディスクの空き領域に録画ファイルが連続的に再配置され、ファイルの最適化が成されるので、以後の録画ファイルへのアクセスが高速に行えるようになり、再生画像のコマ落ちを防止することができるようになる。
【００３５】
請求項３の発明によれば、また、再生中の録画ファイルに断片化されたブロックが所定数以上存在するときにファイルの最適化が行われるように構成しているので、断片化の程度が軽度である場合には最適化の処理は行われず、ハードディスク装置のシーク動作音が必要以上に発生することもない。
【図面の簡単な説明】
【図１】本発明の一実施形態によるハードディスクレコーダの構成を示すブロック図。
【図２】同レコーダのハードディスク内の録画ファイルが最適化される様子を示す図。
【図３】同レコーダのハードディスク内の録画ファイルが最適化される様子を示す別の図。
【図４】同レコーダのＣＰＵのファイル再生時における処理を示すフローチャート。
【符号の説明】
１    ハードディスクレコーダ
３    ハードディスク装置
２１    ＴＶチューナ（受信手段）
２２    信号処理部（信号変換手段）
３１    ハードディスク
６１    ＣＯＤＥＣ（信号符号手段、信号復号手段）
６２    メモリ（ＳＤＲＡＭ）
６３    ＣＰＵ（ファイル再生手段、空き領域確認手段、ファイル複製手段、ファイル削除手段）
【図１】
2004228614.tif 000003
【図２】
2004228614.tif 000004
【図３】
2004228614.tif 000005
【図４】
2004228614.tif 000006